(57)【特許請求の範囲】
【請求項１】
本体と、
前記本体の末端から延長形成される持ち手と、
前記本体と前記持ち手の間に形成され、前記持ち手を折りたたんだり広げたりするようにする折れ部とを含み、
前記本体は、末端部の底面から円筒状に下向突出される突起を含み、前記突起は下端の縁に外側に突出された係止顎を含み、
前記持ち手は先端から一定の厚さでつながり、ただし、上面と底面を貫通し、内径が前記係止顎の上端部の外径より小さく形成される円形の通孔が形成された延長片を含み、
前記突起は、前記折れ部から最も離れた第１部分と、前記折れ部と最も隣接した第２部分を含み、
前記突起が前記通孔に挿入される時、前記通孔の内側面に接触した前記係止顎は、前記通孔の内側面によって前記突起の中心に向けて内側に加圧されて弾性変形され、
前記第２部分が前記通孔の内側面と接触する前に前記第１部分が前記通孔の内側面に接触するように、前記突起が挿入された前記通孔は、その中心が前記突起の中心とずれ、かつ、前記折れ部側にかたよるものである、使い捨て折りたたみ式食事道具。
【請求項２】
前記突起は、中空型に形成されるものである、請求項１に記載の使い捨て折りたたみ式食事道具。
【請求項３】
前記係止顎は、その上端から前記突起の上端に至る高さが、前記延長片の厚さと同一に形成されるものである、請求項１に記載の使い捨て折りたたみ式食事道具。
【請求項４】
前記係止顎は、上端部の外径に比べて下端部の外径が小さく形成されるものである、請求項１に記載の使い捨て折りたたみ式食事道具。
【請求項５】
前記通孔は、前記突起が挿入される一端の内周面に曲面区間が形成されるものである、請求項１に記載の使い捨て折りたたみ式食事道具。
【請求項６】
前記持ち手は、両側面の間に開放部が形成されるものである、請求項１に記載の使い捨て折りたたみ式食事道具。
【請求項７】
前記折れ部に隣接する前記本体の一部分、及び／又は前記折れ部と隣接する前記持ち手の一部分には傾斜部が形成されるものである、請求項６に記載の使い捨て折りたたみ式食事道具。
【請求項８】
前記本体及び持ち手は、ポリプロピレンで形成されるものである、請求項１に記載の使い捨て折りたたみ式食事道具。
【発明の詳細な説明】
【技術分野】
【０００１】
本出願は、広げた状態の持ち手と本体の結合状態が堅く維持されることにより、食事をとることが円滑になるようにする使い捨て折りたたみ式食事道具に関する。
【背景技術】
【０００２】
通常の家庭及び食堂には、スプーン、箸及びフォークなどの食事道具が揃っているので、これを用いて食事をとることが可能である。
【０００３】
しかし、野外などで食事道具が揃わない状況では、食事をとるのに困難が伴うことがある。
【０００４】
このとき、韓国登録実用新案第２０−０２４２２５６号（公告日：２００１年９月２５日）などに開示されたところのような使い捨て食事道具を用いることができる。
【０００５】
使い捨て食事道具は、コンビニなどの各所で販売されており、近くで手軽に求めることができるところ、食事道具が揃わない状況で使い捨て食事道具を用いることにより、食事をとる困難さを解消することができる。
【０００６】
一方、市中には、多様な種類のインスタント食品が市販されている。
【０００７】
インスタント食品は、電子レンジなどを介して簡単に調理することができるところ、調理に所要される時間を短縮できるだけではなく、調理の熟練度に関係なく、誰でも均一な味を得ることができる。
【０００８】
このとき、ご飯、汁物又はチゲ類などのインスタント食品は、食事をとるときスプーンが要求されるので、インスタント食品製造業者又はインスタント食品販売業者などでは、インスタント食品と共に使い捨てスプーンを提供して野外などでも食事をとることが円滑となるようにしている。
【０００９】
ここで、使い捨てスプーンの一部は、折りたたみ式で形成されている。
【００１０】
すなわち、使い捨てスプーンの本体から延びた持ち手が折りたたまれたり広がったりすることにより、保管時に持ち手を折りたたむことで体積が最小化され、食事をとる際に持ち手を広げることにより把持が容易であり得る。
【００１１】
しかし、従来、使い捨て折りたたみ式スプーンは、広げた状態の持ち手と本体の結合状態が脆弱であり、食事をとる過程で持ち手が意図せずに折りたたまれる場合が頻煩であったため、食事をとることが不便な問題があった。
【００１２】
前記理由により、該当業者では広げた状態の持ち手と本体の結合状態が堅く維持されることにより、食事をとる過程で持ち手の意図しない折りたたみを防止できるようにする使い捨て折りたたみ式食事道具の開発を試みているが、現在までは満足するのに値する結果を得ることができない実情である。
【発明の概要】
【発明が解決しようとする課題】
【００１３】
本出願は、前記のような実情を勘案して提案されたものであって、従来、使い捨て折りたたみ式食事道具の利用時に広げた状態の持ち手と本体の結合状態が脆弱であり、食事をとる過程で持ち手が意図せずに折りたたまれる場合が頻繁に発生することにより、食事をとるのに不便さが伴う問題を解消するようにする使い捨て折りたたみ式食事道具を提供するのにその目的がある。
【課題を解決するための手段】
【００１４】
本出願の目的を達成するための一様態として、本体；前記本体の末端から延長形成される持ち手；及び前記本体と前記持ち手の間に形成され、ただし、他の部位に比べて薄い厚さで形成され、前記持ち手を折りたたんだり広げたりするようにする折れ部；を含み、前記本体は、末端部の底面から下向突出される突起を含み、前記突起は下端の縁に外側に突出される係止顎を含み、前記持ち手は先端から一定の厚さでつながり、ただし、上面と底面を貫通する通孔が形成された延長片を含む使い捨て折りたたみ式食事道具を提供する。
【発明の効果】
【００１５】
本出願による使い捨て折りたたみ式食事道具は、本体が係止顎を含む突起を含み、持ち手は通孔が形成された延長片を含むところ、持ち手が広がるとき延長片と突起が互いに嵌合するだけでなく、通孔を貫通する係止顎が通孔の一端の縁にかかることにより通孔から突起の離脱が防止されるので、これによって本体と持ち手の結合状態が堅固となり得る。
【図面の簡単な説明】
【００１６】
【図１】本出願による使い捨て折りたたみ式スプーンの一形態の未使用状態の底面斜視図である。
【図２】図１に示された使い捨て折りたたみ式スプーンの未使用状態の断面図である。
【図３】図１に示された使い捨て折りたたみ式スプーンの使用状態の底面斜視図である。
【図４】図１に示された使い捨て折りたたみ式スプーンの使用状態の断面図である。
【図５】図４に示された使い捨て折りたたみ式スプーンで突起と通孔の結合を説明するための例示図である。
【図６】本出願による使い捨て折りたたみ式スプーンの他の形態の未使用状態の底面斜視図である。
【図７】図６に示された使い捨て折りたたみ式スプーンの使用状態の底面斜視図である。
【図８】本出願による使い捨て折りたたみ式スプーンのまた他の形態の未使用状態の斜視図である。
【図９】図８に示された使い捨て折りたたみ式スプーンの未使用状態の底面斜視図である。
【発明を実施するための形態】
【００１７】
以下、図面に基づいて本出願に対して詳しく説明する。
【００１８】
図面は、使い捨て折りたたみ式食事道具として使い捨て折りたたみ式スプーンを示しているが、これは一例であるだけで、使い捨て折りたたみ式フォーク又は箸などの他の形態の食事道具にも制限なく適用可能である。
【００１９】
図１及び図２に示されたところのように、本出願による使い捨て折りたたみ式スプーンＡは、本体１０、持ち手２０及び折れ部３０を含む。
【００２０】
前記本体１０は、先端にボール（ｂｏｗｌ）１１が形成される。
【００２１】
このような前記本体１０は、末端部の底面から下向突出される突起１２を含む。
【００２２】
前記突起１２は、前記持ち手２０が広がるとき、下記で説明する前記持ち手２０の延長片２１に形成される通孔２２の内側に挿入される。
【００２３】
このとき、前記突起１２は、円形に形成されるため角ばった部位がないので、前記通孔２２の内側への前記突起１２の挿入が円滑である。
【００２４】
そして、前記突起１２は、下端の縁に外側に突出された係止顎１２ａを含む。
【００２５】
前記係止顎１２ａは、前記突起１２が前記通孔２２の内側に挿入されるとき、前記通孔２２を貫通した後、前記通孔２２の一端の縁にかかるところ、これによって前記突起１２の意図していない前記通孔２２からの離脱が防止される。
【００２６】
このとき、前記係止顎１２ａは、その上端から前記突起１２の上端に至る高さ（ｈ）が前記延長片２１の厚さ（ｔ）と同一に形成されることにより、前記係止顎１２ａが前記通孔２２の一端の縁にかかるとき、前記延長片２１の上下流動が防止される。
【００２７】
そして、前記係止顎１２ａは、上端部の外径に比べて下端部の外径が小さく形成、言い換えれば、楔形に形成されることによって前記通孔２２の内側への挿入が容易である。
【００２８】
また、前記係止顎１２ａは、上端部の外径が前記通孔２２の内径に比べて大きく形成されることにより、前記突起１２が前記通孔２２の内側に挿入されるとき、前記通孔２２を貫通する前記係止顎１２ａの上端が前記通孔２２の一端の縁にかかる状態で固定される。このとき、前記突起１２は、中空型に形成されることによって、前記突起１２だけでなく前記係止顎１２ａの弾力的流動が可能なので、前記係止顎１２ａの上端部の外径が前記通孔２２の内径に比べて大きく形成されたとしても、前記係止顎１２ａが前記通孔２２の内側に円滑に挿入される。
【００２９】
前記持ち手２０は、前記本体１０の末端から延長形成される。
【００３０】
このような前記持ち手２０は、先端から一定の厚さにつながり、ただし、上面と底面を貫通する通孔２２が形成された延長片２１を含む。
【００３１】
したがって、前記持ち手２０が広がるとき、前記本体１０の前記突起１２が前記通孔２２の内側に挿入されるのに伴い、前記延長片２１と前記突起１２が互いに嵌合する。
【００３２】
このとき、前記突起１２が挿入された前記通孔２２の中心は、前記突起１２の中心からずれ、かつ、前記折れ部３０側にかたより得る。例えば、前記突起１２が挿入された前記通孔２２の中心は、前記突起１２の中心から前記折れ部３０側に０．２ｍｍかたより得る。
【００３３】
前記突起１２が挿入された前記通孔２２の中心が前記突起１２の中心からずれて前記折れ部３０側にかたよることにより、前記突起１２の挿入過程で当初（持ち手が折りたたまれる以前の状態）前記折れ部３０に隣接する前記突起１２の一部分が前記通孔２２に円滑に挿入されるので、前記通孔２２と前記突起１２が容易に嵌合することができ、前記通孔２２と前記突起１２が嵌合するとき、当初（持ち手が折りたたまれる以前の状態）前記折れ部３０から相対的に遠い距離に位置する前記突起１２の一部分と前記通孔２２の内面の間に空間の形成が減少するため、どの方向から外力が加えられても前記係止顎１２ａの係止状態が維持されるので、前記通孔２２からの前記突起１２の離脱が防止され得る。
【００３４】
ここで、前記通孔２２は、前記突起１２が挿入される一端の内周面に曲面区間２２ａが形成されることにより、前記曲面区間２２ａに接触する前記突起１２が前記通孔２２の中央側に誘導されるので、前記通孔２２の内側への前記突起１２の挿入が円滑である。
【００３５】
一方、前記持ち手２０は、両側面の間に開放部２３が形成されてよい。
【００３６】
前記持ち手２０の両側面の間に前記開放部２３が形成されれば、前記持ち手２０が完全に折りたたまれた状態で前記開放部２３によって前記本体１０との間に空間が確保され得るので、本出願による使い捨て折りたたみ式スプーンＡの成形過程において、前記本体１０を形成する金型と前記持ち手２０を形成する金型を離隔させる必要がないなど、金型の構造が簡素化されるため、製品の成形が容易なだけではなく、前記折れ部３０の耐久性の低下が防止される。
【００３７】
また、前記開放部２３が形成される場合、前記折れ部３０に隣接する前記本体１０の一部分、及び／又は前記折れ部３０と隣接する前記持ち手２０の一部分に傾斜部３１をさらに含むことができる。
【００３８】
前記傾斜部３１は、前記本体１０と前記持ち手２０の上面から底面に下向傾斜するように形成されることにより、前記折れ部３０が「Ｖ」状の溝をなすようになるので、前記突起１２と嵌合する方向の反対方向に前記持ち手２０を折りたたんだとしても、前記折れ部３０が容易に折りたたまれて切れることが防止されるので、前記折れ部３０の損傷を防止することができる。
【００３９】
このとき、前記開放部２３が形成される前記持ち手２０の各々の末端の上面又は底面には結着溝２４が形成されてよく、前記結着溝２４を互いに交互にかけることにより前記持ち手２０が互いに結着される。
【００４０】
前記折れ部３０は前記本体１０と前記持ち手２０の間に形成され、ただし、他の部位に比べて薄い厚さで形成されて前記持ち手２０を折りたたんだり広げたりすることができるようにする。
【００４１】
このような前記折れ部３０は、前記持ち手２０を折りたたんだり広げたりすることができるようにするものであるだけで、特別な機能を有するものではないので、前記折れ部３０に関する詳細な説明は省略する。
【００４２】
一方、前記本体１０及び持ち手２０は、ポリプロピレンで形成されるのが好ましい。ポリプロピレンは、材質の特性上、柔軟性を有するので、前記持ち手２０の折りたたみ又は広がりが円滑である。
【００４３】
本出願による使い捨て折りたたみ式食事道具、具体的に使い捨て折りたたみ式スプーンＡの使用に関し、詳しく説明する。
【００４４】
本出願で、前記本体１０の末端から延長形成される前記持ち手２０は、使用以前の体積の最小化のために折りたたまれているので、使用に先立って広げることが要求される。
【００４５】
このとき、本出願の前記本体１０と前記持ち手２０部の間には、他の部位に比べて薄い厚さで形成された前記折れ部３０が設けられるところ、前記折れ部３０によって前記持ち手２０の末端を円滑に持ち上げることができるので、これによって、前記持ち手２０が図３に示されたところのように折りたたまれた状態から簡単に広がる。
【００４６】
したがって、広げた状態の前記持ち手２０を把持することにより食事をとることが可能である。
【００４７】
ただし、食事をとる過程において、前記持ち手２０が意図せずに折りたたまれる場合、食事をとることに困難さが伴うことがある。
【００４８】
しかし、本出願で、前記本体１０は末端の底面に前記突起１２を含み、前記突起１２は下端の縁に外側に突出される前記係止顎１２ａを含み、前記持ち手２０は先端に前記通孔２２が形成された前記延長片２１を含むところ、前記持ち手２０が広がるとき、図４に示されたところのように、前記突起１２が前記通孔２２の内側に挿入され、前記突起１２と前記延長片２１が互いに嵌合するので、これによって前記本体１０と前記持ち手２０の結合状態が安定され、食事をとる過程で前記持ち手２０の意図していない折りたたみが防止される。
【００４９】
特に、前記本体１０の先端、すなわち、前記ボール１１部位の上部から下部に外力が作用する場合、前記突起１２が前記通孔２２の内側から抜け出しながら前記延長片２１と前記突起１２の嵌合が解除されることによって前記持ち手２０が意図せずに折れることがあるが、本出願で前記突起１２は、下端の縁に外側に突出される前記係止顎１２ａを含むため、前記突起１２が前記通孔２２の内側に挿入されるとき、図５に示されたところのように、前記係止顎１２ａが前記通孔２２の一端の縁にかかり、これによって、前記本体１０の先端、すなわち前記ボール１１部位の上部から下部に外力が作用しても、前記突起１２の意図していない前記通孔２２からの離脱が防止されるため、前記延長片２１と前記突起１２の嵌合が安定され、前記持ち手２０が広がった状態に維持される。
【００５０】
このとき、前記係止顎１２ａは、その上端から前記突起１２の上端に至る高さ（ｈ）が前記延長片２１の厚さ（ｔ）と同一に形成されることにより、前記通孔２２の一端の縁にかかるとき、前記延長片２１の上下流動が防止され、上端部の外径に比べて下端部の外径が小さく形成、言い換えれば、楔形に形成されることにより、前記通孔２２の内側への挿入が容易であり、上端部の外径が前記通孔２２の内径が比べて大きく形成されることにより、前記突起１２が前記通孔２２の内側に挿入されるとき、前記通孔２２を貫通した後、前記通孔２２の一端の縁にかかった状態で固定される。
【００５１】
また、前記突起１２は、中空型に形成されることによって、前記係止顎１２ａが前記通孔２２の内側に円滑に挿入される。
【００５２】
また、前記本体１０は、前面及び／又は後面の端に補強桟１３が形成されてよく、これによって前記本体１０の堅固さが向上され得る。
【００５３】
一方、本出願による使い捨て折りたたみ式スプーンＡにおいて、前記持ち手２０は、図６に示されたところのように、両側面の間に前記開放部２３が形成されてよい。
【００５４】
このとき、前記開放部２３が形成される前記持ち手２０の各々の末端の上面又は底面には、図７に示されたところのように結着溝２４が形成されてよい。
【００５５】
したがって、前記結着溝２４を互いに交互にかけることにより、前記持ち手２０が互いに結着され、これによって耐久性が向上するため、前記開放部２３の形成と関係なく前記持ち手２０の把持が安定する。
【００５６】
本出願による使い捨て折りたたみ式スプーンＡにおいて、前記持ち手２０は、図８に示されたところのように、縁部から上部又は下部につながるリブ２５を含むことができる。
【００５７】
前記リブ２５は、前記持ち手２０の剛性を高めるので、前記持ち手２０の把持がさらに安定し得る。
【００５８】
また、本出願による使い捨て折りたたみ式スプーンＡにおいて、前記本体１０の前記突起１２には、図９に示されたところのように、窪み１２ｂが形成されてよい。
【００５９】
前記窪み１２ｂは、前記突起１２が加圧されるとき、弾力的に流動し、さらに具体的に前記突起１２が収縮され得るようにするので、前記突起１２が前記通孔２２と嵌合して加圧されるとき、前記窪み１２ｂによって前記突起１２が収縮することにより、前記通孔２２の内側に前記突起１２の挿入が円滑であり得る。
【００６０】
このとき、前記通孔２２と嵌合する過程での加圧によって、収縮する前記突起１２は、加圧が解除し、さらに具体的に、前記突起１２が前記通孔２２の内側に完全に挿入された後、収縮する以前の状態に復元されるので、前記突起１２と前記通孔２２の結合状態が安定し得る。
【００６１】
前記でのように、本出願による使い捨て折りたたみ式スプーンＡは、前記本体１０が前記係止顎１２ａを含む前記突起１２を含み、前記持ち手２０は前記通孔２２が形成された前記延長片２１を含むところ、前記持ち手２０が広がりながら前記延長片２１の前記通孔２２に前記突起１２が挿入されるとき、前記延長片２１と前記突起１２が互いに嵌合するだけでなく、前記通孔２２を貫通した前記係止顎１２ａが前記通孔２２の一端の縁にかかることにより、前記突起１２ａの前記通孔２２からの離脱が防止されるので、これによって前記本体１０と前記持ち手２０の結合状態が堅固となり得る。
【００６２】
以上で説明したところのような本出願は前記実施形態に限定されないので、特許請求の範囲で請求する、本出願の要旨を脱しない範囲内で変更が可能であり、かかる変更は、次の特許請求の範囲の記載により定義される本出願の保護範囲内にあることとなる。
【符号の説明】
【００６３】
１０：本体      １１：ボール
１２：突起      １２ａ：係止顎
１２ｂ：窪み    １３：補強桟
２０：持ち手    ２１：延長片
２２：通孔      ２２ａ：曲面区間
２３：開放部    ２４：結着溝
２５：リブ      ３０：折れ部
３１：傾斜部    ｈ：高さ
ｔ：厚さ        Ａ：使い捨て折りたたみ式スプーン
【図１】
0006835426.tif 000002
【図２】
0006835426.tif 000003
【図３】
0006835426.tif 000004
【図４】
0006835426.tif 000005
【図５】
0006835426.tif 000006
【図６】
0006835426.tif 000007
【図７】
0006835426.tif 000008
【図８】
0006835426.tif 000009
【図９】
0006835426.tif 000010